(57)【特許請求の範囲】
【請求項１】
互いに対向して配置された下部基板および上部基板と、
前記下部基板と前記上部基板との間に配置される液晶層と、
前記下部基板上に配置され、第１の方向に沿って延長された複数のゲートラインと、
前記下部基板上に前記ゲートラインと絶縁されて配置され、前記第１の方向と交差する第２の方向に沿って延長された複数のデータラインと、
対応するゲートライン及び対応するデータラインにそれぞれ接続された複数の薄膜トランジスタと、
対応する薄膜トランジスタにそれぞれ接続された複数の画素電極と、
前記上部基板上に配置された反射層と、を含み、
前記反射層は、前記複数の画素電極それぞれの少なくとも一部に対応するように各々設けられる複数の開口を有し、
前記反射層は、前記反射層の中央部分である第１領域と、前記第１領域を取り囲む第２領域とに分割され、
前記第１領域に設けられた前記開口は、前記第２領域に設けられた前記開口とは異なるサイズを有する、表示装置。
【請求項２】
前記反射層は、前記第１の方向に沿って延長された第１の反射部と、前記第２の方向に沿って延長された第２の反射部と、を含む請求項１に記載の表示装置。
【請求項３】
前記反射層は、金属を含む請求項１または請求項２に記載の表示装置。
【請求項４】
前記金属は、アルミニウム（Ａｌ）、銀（Ａｇ）、チタン（Ｔｉ）、およびクロム（Ｃｒ）からなる群から選択された少なくとも一つを含む請求項３に記載の表示装置。
【請求項５】
前記反射層は、１０ｎｍ以上ないし３００ｎｍ以下の厚さを有する請求項１〜４のいずれか一項に記載の表示装置。
【請求項６】
前記複数の開口の各々は、前記画素電極の５０％以上ないし１００％以下の面積を有する請求項１〜５のいずれか一項に記載の表示装置。
【発明の詳細な説明】
【技術分野】
【０００１】
本発明は、表示装置に関し、より詳細には、ミラー型表示装置に関する。
【背景技術】
【０００２】
表示装置は、発光方式に応じて液晶表示装置（ｌｉｑｕｉｄ  ｃｒｙｓｔａｌ  ｄｉｓｐｌａｙ（ＬＣＤ））、有機発光表示装置（ｏｒｇａｎｉｃ  ｌｉｇｈｔ  ｅｍｉｔｔｉｎｇ  ｄｉｏｄｅ  ｄｉｓｐｌａｙ（ＯＬＥＤ  ｄｉｓｐｌａｙ））、プラズマ表示装置（ｐｌａｓｍａ  ｄｉｓｐｌａｙ  ｐａｎｅｌ（ＰＤＰ））、および電気泳動表示装置（ｅｌｅｃｔｒｏｐｈｏｒｅｔｉｃｄｉｓｐｌａｙ）などに分類される。
【０００３】
液晶表示装置は、互いに対向するように配置された二つの基板、基板上に形成された電極、および基板との間に挿入された液晶層を含み、電極に電圧を印加して液晶層の液晶分子を再配列させることによって透過される光の量を調節する表示装置である。
【０００４】
一方、最近、表示装置の厚さが薄くなるに従って、表示装置が様々な分野で活用されている。ミラー型表示装置は、画像が表示されない場合は、ミラー機能を提供し、画像が表示される場合は、表示装置の機能を提供するハイブリッド型表示装置である。
【０００５】
このようなミラー型表示装置を用いて、自動車のサイドミラーやルームミラーを実装する場合、サイドミラーやルームミラーにナビゲーション情報、またはその他の有用な情報が表示されるようすることで、運転者の運行に役立つことができる。
【０００６】
このように、ミラー型表示装置は、様々な産業分野に広く適用が可能であるが、ミラーの特性と表示装置の特性を同時に有するための技術補完が必要である。特に、可視光線領域の光を十分に反射しながら、表示装置としての十分な表示特性を有するようにすることが難しい。
【発明の概要】
【発明が解決しようとする課題】
【０００７】
そこで、本発明は、反射特性および表示特性を有する表示装置を提供することを目的とする。
【課題を解決するための手段】
【０００８】
互いに対向して配置された下部基板と上部基板、前記下部基板と前記上部基板との間に配置された液晶層、前記下部基板上に配置され、第１の方向に沿って延長された複数のゲートライン、前記下部基板上に前記ゲートラインと絶縁されて配置され、前記第１の方向と交差する第２の方向に沿って延長された複数のデータライン、前記ゲートライン及び前記データラインに連結された薄膜トランジスタ、前記薄膜トランジスタに連結された画素電極、および前記上部基板上に配置された反射層を含み、前記反射層は、前記画素電極の全部または一部の上に配置された開口領域を有する表示装置を提供する。
【０００９】
前記反射層は、前記第１の方向に沿って延長された第１の反射部と、前記第２の方向に沿って延長された第２の反射部を含みうる。
【００１０】
前記反射層は、金属を含みうる。
【００１１】
前記金属は、アルミニウム（Ａｌ）、銀（Ａｇ）、チタン（Ｔｉ）、およびクロム（Ｃｒ）からなる群から選択された少なくとも一つを含みうる。
【００１２】
前記反射層は、１０ｎｍ以上ないし３００ｎｍ以下の厚さを有することができる。
【００１３】
前記開口領域は、前記画素電極の５０％以上ないし１００％以下の面積を有することができる。
【００１４】
前記反射層は、互いに異なるサイズの開口を有することができる。
【００１５】
前記反射層は、前記開口領域に前記第１の方向に長く延長された複数の開口を有することができ、前記開口は、５０ｎｍ以上ないし３００ｎｍ以下の幅と１０ｎｍ以上ないし１００ｎｍ以下の間隔を有することができる。
【００１６】
前記反射層は、前記開口領域に前記第２の方向に長く延長された複数の開口を有することができ、前記開口は、５０ｎｍ以上ないし３００ｎｍ以下の幅と１０ｎｍ以上ないし１００ｎｍ以下の間隔を有することができる。
【００１７】
前記反射層は、前記開口領域に前記第１の方向と所定の角度を持って長く延長された複数の開口を有することができ、前記開口は、５０ｎｍ以上ないし３００ｎｍ以下の幅と１０ｎｍ以上ないし１００ｎｍ以下の間隔を有することができる。
【００１８】
互いに対向して配置された下部基板と上部基板、前記下部基板と前記上部基板との間に配置された液晶層、前記下部基板上に配置され、第１の方向に沿って延長された複数のゲートライン、前記下部基板上に前記ゲートラインと絶縁されて配置され、前記第１の方向と交差する第２の方向に沿って延長された複数のデータライン、前記ゲートライン及び前記データラインに連結された薄膜トランジスタ、前記薄膜トランジスタに連結された画素電極、および前記下部基板上に前記画素電極と絶縁されて配置された反射層を含み、前記反射層は、前記画素電極の全部または一部と重畳される開口領域を有し、前記開口領域に少なくとも一つ以上の開口部を有する表示装置を提供する。
【００１９】
前記反射層は、前記第１の方向に沿って延長された第１の反射部と、前記第２の方向に沿って延長された第２の反射部と、を含みうる。
【００２０】
前記反射層は、金属を含みうる。
【００２１】
前記金属は、アルミニウム（Ａｌ）、銀（Ａｇ）、チタン（Ｔｉ）、およびクロム（Ｃｒ）からなる群から選択された少なくとも一つを含みうる。
【００２２】
前記反射層は、５０ｎｍ以上ないし３００ｎｍ以下の厚さを有することができる。
【００２３】
前記開口領域は、前記画素電極の５０％以上ないし１００％以下の面積を有することができる。
【００２４】
前記反射層は、少なくとも２以上の領域を含み、各領域は、互いに異なる面積の開口領域を有することができる。
【００２５】
前記反射層は、前記開口領域に前記第１の方向に長く延長された複数の開口を有することができる。
【００２６】
前記反射層は、前記開口領域に前記第２の方向に長く延長された複数の開口を有することができる。
【００２７】
前記反射層は、前記開口領域に前記第１の方向と所定の角度を持って長く延長された複数の開口を有することができる。
【発明の効果】
【００２８】
本発明に係る表示装置は、画素電極の全部または一部と重畳される開口を有する反射層を配置することにより、ミラー型表示装置を具現することができる。
【００２９】
本発明に係る表示装置は、反射層に形成された開口の面積を領域別に互いに異なるようにすることにより、反射機能および表示機能を有するミラー型表示装置を具現することができる。
【００３０】
本発明に係る表示装置は、反射層にワイヤーグリッド偏光子を形成して別の偏光板を省略することができるため、表示装置の厚さを減らすことができ、製造コストを低減することができる。
【００３１】
本発明に係る表示装置は、反射層が隣接する画素間を区別する機能を提供することにより、別のブラックマトリクスを省略することができるため、表示装置の厚さを減らすことができ、製造コストを低減することができる。
【図面の簡単な説明】
【００３２】
【図１】本発明の一実施形態に係る表示装置を概略的に示す平面図である。
【図２】図１のＩ−Ｉ’に沿って切断した断面図である。
【図３】本発明の一実施形態に係る反射層を示す平面図である。
【図４】本発明の他の実施形態に係る反射層を示す平面図である。
【図５】本発明の他の実施形態に係る表示装置を示す平面図である。
【図６】図５のＩＩ−ＩＩ’に沿って切断した断面図である。
【図７】本発明の他の実施形態に係る反射層を示す平面図である。
【図８】本発明の他の実施形態に係る反射層を示す平面図である。
【図９】本発明の他の実施形態に係る反射層を示す平面図である。
【図１０ａ】本発明の一実施形態に係る表示装置を自動車のルームミラーに適用した活用例である。
【図１０ｂ】図１０ａの「ａ」、「ｂ」、「ｃ」の領域をそれぞれ拡大した部分拡大図である。
【図１０ｃ】図１０ａの「ａ」、「ｂ」、「ｃ」の領域をそれぞれ拡大した部分拡大図である。
【図１０ｄ】図１０ａの「ａ」、「ｂ」、「ｃ」の領域をそれぞれ拡大した部分拡大図である。
【図１１ａ】本発明の一実施形態に係る表示装置を自動車のサイドミラーに適用した活用例である。
【図１１ｂ】図１１ａの「ａ」、「ｂ」、「ｃ」の領域をそれぞれ拡大した部分拡大図である。
【図１１ｃ】図１１ａの「ａ」、「ｂ」、「ｃ」の領域をそれぞれ拡大した部分拡大図である。
【図１１ｄ】図１１ａの「ａ」、「ｂ」、「ｃ」の領域をそれぞれ拡大した部分拡大図である。
【発明を実施するための形態】
【００３３】
以下、添付図面を参照して、本発明を詳細に説明する。
本発明は、様々な変更が可能で、様々な形態で実施できるところ、特定の実施形態のみ図面に例示し、本文は、これを中心に説明する。しかし、本発明の範囲が前記特定の実施形態に限定されるものではなく、本発明の思想及び技術範囲に含まれるすべての変更、均等物または代替物は、本発明の範囲に含まれるものと理解されるべきである。
【００３４】
本明細書において、ある部分が他の部分と連結されているとするとき、これは直接に連結されている場合だけではなく、その中間に他の素子を間に置いて電気的に連結されている場合も含む。また、ある部分がある構成要素を含むとするとき、これは特に反対される記載がない限り、他の構成要素を除外するものではなく、他の構成要素をさらに含みうることを意味する。
【００３５】
本明細書において、第１の、第２の、第３などの用語は、様々な構成要素を説明するために使用できるが、このような構成要素は、前記用語によって限定されるものではない。前記用語は、一つの構成要素を他の構成要素から区別するために使用される。例えば、本発明の権利範囲から逸脱することなく、第１の構成要素が、第２のまたは第３の構成要素などと命名されることがあり、同様に、第２のまたは第３の構成要素も交互に命名することができる。
【００３６】
本発明を明確に説明するために説明と関係ない部分は省略し、明細書の全体を通じて同一または類似した構成要素については同一の参照符号を付する。
【００３７】
本発明の実施形態に係る表示装置は、液晶表示装置であることを前提として説明する。また、本発明の実施形態に係る表示装置は、薄膜トランジスタと色フィルタが同じ基板上に配置されたＣＯＡ（ｃｏｌｏｒ  ｆｉｌｔｅｒ  ｏｎ  ａｒｒａｙ、ＣＯＡ）構造であることを前提として説明したが、これに限定されるものではなく、本発明の実施形態に係る表示装置は、薄膜トランジスタと色フィルタが互いに異なる基板上に配置された構造にも適用することができる。
【００３８】
図１は、本発明の一実施形態に係る表示装置を概略的に示す平面図であり、図２は、図１のＩ−Ｉ’に沿って切断した断面図であり、図３は、本発明の一実施形態に係る反射層を示す平面図である。
【００３９】
図１〜図３を参照すると、本発明の一実施形態に係る表示装置は、下部パネル１００、下部パネル１００に対向して配置された上部パネル２００、および下部パネル１００と上部パネル２００との間に配置された液晶層３００を含む。
【００４０】
下部パネル１００は、赤色、緑色、青色の画素部１０１ｒ、１０１ｇ、１０１ｂを含む複数の画素部１０１がマトリックス状に配列された下部基板１１０、下部基板１１０上に位置して薄膜トランジスタＱを含む膜構造物１２０、膜構造物１２０上に位置して赤色、緑色、青色のフィルタ１７０ｒ、１７０ｇ、１７０ｂを含む複数の色フィルタ１７０、複数の色フィルタ１７０上に配置された平坦化膜１７５、平坦化膜１７５上に配置された画素電極１８０を含む。
【００４１】
下部基板１１０は、ソーダ石灰ガラス（ｓｏｄａ  ｌｉｍｅ  ｇｌａｓｓ）またはボロンシリケートガラスなどの透明なガラスまたはプラスチックなどからなる絶縁基板である。
【００４２】
下部基板１１０上にゲート信号を伝達するゲート配線１２２、１２４が配置される。ゲート配線１２２、１２４は、一方向、例えば、第１の方向Ｒ１に延びているゲートライン１２２と、ゲートライン１２２から突出して突起状に形成されたゲート電極１２４を含む。ゲート電極１２４は、後述するソース電極１６５およびドレイン電極１６６とともに薄膜トランジスタＱの三端子を構成する。
【００４３】
図面に示されていないが、下部基板１１０上に画素電極１８０とストレージキャパシタを形成するためのストレージ配線（不図示）がさらに形成されることもできる。このストレージ配線は、ゲート配線１２２、１２４とともに形成されるものであって、ゲート配線１２２、１２４と同じ層に配置され、同じ物質から成り得る。
【００４４】
ゲート配線１２２、１２４は、アルミニウム（Ａｌ）とアルミニウム合金などのアルミニウム系金属、銀（Ａｇ）と銀合金などの銀系金属、銅（Ｃｕ）と銅合金などの銅系金属、モリブデン（Ｍｏ）とモリブデン合金などのモリブデン系金属、クロム（Ｃｒ）、チタン（Ｔｉ）、タンタル（Ｔａ）から成り得る。
【００４５】
また、ゲート配線１２２、１２４は、物理的性質が異なる２つの導電膜（不図示）を含む多重膜構造を有することができる。
【００４６】
このうちの一つの導電膜は、ゲート配線１２２、１２４の信号遅延や電圧降下を減らすことができるように低比抵抗（ｌｏｗ  ｒｅｓｉｓｔｉｖｉｔｙ）の金属、例えばアルミニウム系金属、銀系金属、銅系金属などから成り得る。
【００４７】
これとは異なり、他の導電膜は、他の物質、特にＩＴＯ（ｉｎｄｉｕｍ  ｔｉｎ  ｏｘｉｄｅ）およびＩＺＯ（ｉｎｄｉｕｍ  ｚｉｎｃ  ｏｘｉｄｅ）との接触特性に優れた物質、例えば、モリブデン系金属、クロム、チタン、タンタルなどから成り得る。
【００４８】
このような組み合わせの良い例としては、クロム下部膜とアルミニウム上部膜、アルミニウム下部膜とモリブデン上部膜、およびチタン下部膜と銅上部膜が挙げられる。ただし、本発明はこれに限定されるものではなく、ゲート配線１２２、１２４は、様々ないくつかの金属と導電体から成り得る。
【００４９】
下部基板１１０およびゲート配線１２２、１２４上にゲート絶縁膜１３０が配置される。ゲート絶縁膜１３０は、シリコン酸化物（ＳｉＯｘ）またはシリコン窒化物（ＳｉＮｘ）を含みうる。また、ゲート絶縁膜１３０は、酸化アルミニウム、酸化チタン、酸化タンタル、または酸化ジルコニウムをさらに含みうる。
【００５０】
ゲート絶縁膜１３０上に薄膜トランジスタＱのチャネルを形成するための半導体層１４２が配置され、このような半導体層１４２は、少なくともゲート電極１２４と重畳するように配置される。半導体層１４２は、アモルファスシリコン（ａｍｏｒｐｈｏｕｓ  Ｓｉｌｉｃｏｎ：以下、ａ−Ｓｉ）からなり、またはガリウム（Ｇａ）、インジウム（Ｉｎ）、スズ（Ｓｎ）、亜鉛（Ｚｎ）のうち少なくとも一つ以上の元素を含む酸化物半導体（ｏｘｉｄｅ  ｓｅｍｉｃｏｎｄｕｃｔｏｒ）から成り得る。
【００５１】
半導体層１４２上にオーミックコンタクト層１５５、１５６が配置される。オーミックコンタクト層１５５、１５６は、後述のソース／ドレイン電極１６５、１６６と半導体層１４２との間の接触特性を改善させる役割をする。
【００５２】
ここで、オーミックコンタクト層１５５、１５６は、ｎ型不純物が高濃度にドーピングされたアモルファスシリコン（以下、ｎ＋ａ−Ｓｉ）から成り得る。もし、ソース／ドレイン電極１６５、１６６と半導体層１４２との間の接触特性が十分に確保されれば、本実施形態のオーミックコンタクト層１５５、１５６は、省略することもできる。
【００５３】
オーミックコンタクト層１５５、１５６およびゲート絶縁層１３０上にデータ配線１６２、１６５、１６６が配置される。
【００５４】
データ配線１６２、１６５、１６６は、ゲートライン１２２と交差する方向、例えば、第２の方向Ｒ２に形成されてゲートライン１２２とともに画素部１０１を定義するデータライン１６２と、データライン１６２から分岐されて半導体層１４２の上部まで延長されているソース電極１６５と、ソース電極１６５と離隔されてゲート電極１２４または薄膜トランジスタＱのチャネル領域を中心に、ソース電極１６５と対向して配置された半導体層１４２の上部に形成されるドレイン電極１６６を含む。
【００５５】
ここで、ドレイン電極１６６は、半導体層１４２の上部から画素電極１８０の下まで延長することができる。
【００５６】
データ配線１６２、１６５、１６６が形成された結果物の全体構造の上部に保護膜１６９が配置される。保護膜１６９は、例えば、シリコン酸化物、シリコン窒化物、感光性（ｐｈｏｔｏｓｅｎｓｉｔｉｖｉｔｙ）の有機物またはａ−Ｓｉ：Ｃ：Ｏ、ａ−Ｓｉ：Ｏ：Ｆなどの低誘電率絶縁物質などを含む単一膜または多重膜の構造を有することができる。このような薄膜トランジスタＱは、一実施形態であり、薄膜トランジスタＱを含む膜構造物１２０は、多様な形態に変形されることができる。
【００５７】
膜構造物１２０上に赤色フィルタ１７０ｒ、緑色フィルタ１７０ｇ、および青色フィルタ１７０ｂを含む複数の色フィルタ１７０が配置される。
【００５８】
赤色フィルタ１７０ｒ、緑色フィルタ１７０ｇ、および青色フィルタ１７０ｂは、それぞれ赤色画素部１０１ｒ、緑画素部１０１ｇ、および青色画素部１０１ｂに対応して配置されることができる。
【００５９】
赤色フィルタ１７０ｒ、緑色フィルタ１７０ｇ、および青色フィルタ１７０ｂは、各画素部１０１に対応して第２の方向Ｒ２に長いストライプ状に配置されることができる。
【００６０】
互いに隣接する色フィルタ１７０は、互いに離隔して配置されたり、端が互いに重畳されて配置されたりすることもできる。
【００６１】
複数の色フィルタ１７０上に平坦化膜１７５が配置されることができる。平坦化膜１７５は、例えば、シリコン酸化物、シリコン窒化物、感光性（ｐｈｏｔｏｓｅｎｓｉｔｉｖｉｔｙ）の有機物またはａ−Ｓｉ：Ｃ：Ｏ、ａ−Ｓｉ：Ｏ：Ｆなどの低誘電率の絶縁物質などを含む単一膜または多重膜構造を有することができる。
【００６２】
保護膜１６９、色フィルタ１７０、および平坦化膜１７５にドレイン電極１６６の一部、例えば画素電極１８０の下に配置されるドレイン電極１６６の端部を露出するコンタクトホール１８５が形成されることができる。
【００６３】
平坦化膜１７５上にコンタクトホール１８５を介してドレイン電極１６６と電気的に連結される画素電極１８０が配置される。画素電極１８０は、ＩＴＯ（Ｉｎｄｉｕｍ  Ｔｉｎ  Ｏｘｉｄｅ）またはＩＺＯ（Ｉｎｄｉｕｍ  Ｚｉｎｃ  Ｏｘｉｄｅ）などの透明導電体から成り得る。
【００６４】
一方、図示されていないが、画素電極１８０上に下部配向膜が配置されることができる。下部配向膜は、垂直配向膜でも良く、光反応性物質を含む配向膜でも良い。
【００６５】
下部配向膜は、ポリアミック酸（Ｐｏｌｙａｍｉｃ  ａｃｉｄ）、ポリシロキサン（Ｐｏｌｙｓｉｌｏｘａｎｅ）、およびポリイミド（Ｐｏｌｙｉｍｉｄｅ）のいずれかの物質から成り得る。
【００６６】
上部パネル２００は、上部基板２１０、共通電極２２０、および反射層２３０を含む。
【００６７】
上部基板２１０は、透明なガラスまたはプラスチックなどからなる絶縁基板となることができる。共通電極２２０は、ＩＴＯ（Ｉｎｄｉｕｍ  Ｔｉｎ  Ｏｘｉｄｅ）またはＩＺＯ（Ｉｎｄｉｕｍ  Ｚｉｎｃ  Ｏｘｉｄｅ）などの透明導電体から成り得る。
【００６８】
上部基板２１０上に反射層２３０が配置される。本発明の一実施形態に係る反射層２３０は、下部基板１１０と対向する上部基板２１０の一面上に配置されることが示されているが、これに限定されるものではなく、反射層２３０は、下部基板１１０と対向する上部基板２１０の他の一面上に配置されることもできる。
【００６９】
また、本発明の他の実施形態に係る反射層２３０は、下部基板１１０上に画素電極１８０と互いに絶縁されて配置されることもできる。
【００７０】
反射層２３０は、可視光領域の光を反射させることができる金属材料を含む。例えば、反射層２３０は、アルミニウム（Ａｌ）、銀（Ａｇ）、チタン（Ｔｉ）、およびクロム（Ｃｒ）からなる群から選択された少なくとも一つを含みうる。
【００７１】
また、反射層２３０は、１０ｎｍ以上ないし３００ｎｍ以下の厚さｔを有することができる。反射層２３０が１０ｎｍ以下の厚さを有する場合、反射特性を有することが難しく、反射層２３０が３００ｎｍ以上の厚さを有する場合、薄型表示装置を具現し難い。
【００７２】
例えば、反射層２３０がチタン（Ｔｉ）である場合、１０ｎｍ以上の厚さを有さなければ反射特性を示すことができない。反射層２３０は、５０％以上の反射率を有することが好ましい。
【００７３】
反射層２３０は、第１の方向Ｒ１に沿って延長された第１の反射部２３１と、第２の方向に沿って延長された第２の反射部２３２と、を含む。第２の反射部２３２は、第１の反射部２３１を接続する機能を提供する。
【００７４】
第１の反射部２３１は、ゲートライン１２２および薄膜トランジスタＱ上に配置され、画素電極１８０の一部上にも配置されることができる。第２の反射部２３２は、データライン１６２上に配置される。
【００７５】
第１の反射部２３１および第２の反射部２３２は、外部から入射された光が再び外部に反射されるようにするとともに、バックライトユニット（不図示）から供給される光が外部に通過されることを防止できる。すなわち、反射層２３０は、遮光機能も兼ねることができる。したがって、別の遮光部材が省略可能であるので、表示装置の厚さを減らすことができる。
【００７６】
反射層２３０は、画素電極１８０の全部または一部と重畳される開口領域２３５を有し、開口領域２３５に形成された少なくとも一つ以上の開口２３５ｈを有する。本発明の一実施形態に係る反射層２３０は、開口領域２３５と同じ面積を有する１つの開口２３５ｈを有する。
【００７７】
開口領域２３５は、液晶層３００の液晶分子の配列に応じて、バックライトユニット（不図示）から供給される光が外部に通過したり、通過されない領域である。
【００７８】
開口領域２３５は、画素電極１８０の面積の約５０％以上ないし１００％以下の面積を有することができる。開口領域２３５の面積が大きいほど表示装置の表示特性が向上され、開口領域２３５の面積が小さいほど表示装置の反射率が向上される。
【００７９】
一方、図示されていないが、上部パネル２００は、上部配向膜をさらに含みうる。上部配向膜は、共通電極２２０上に配置される。上部配向膜は、前述した下部配向膜と同じ物質から成り得る。
【００８０】
下部基板１１０と上部基板２１０との間の対向する面をそれぞれ該当基板の上部面に定義し、その上部面の反対側に位置する面をそれぞれ該当基板の下部面に定義するとき、下部基板１１０の下部面に上部偏光板がさらに位置し、上部基板２１０の下部面に下部偏光板がさらに位置することができる。
【００８１】
液晶層３００は、正の誘電率異方性を有するネマチック（ｎｅｍａｔｉｃ）液晶物質を含みうる。液晶層３００の液晶分子は、その長軸方向が下部パネル１００および上部パネル２００のいずれかに平行に配列されており、その方向が下部パネル１００の配向膜のラビング方向から上部パネル２００に至るまで螺旋状に９０度ねじれた構造を有することができる。または、ネマチック液晶物質の代わりに、液晶層３００は、垂直配向された液晶物質を含むこともできる。
【００８２】
図４は、本発明の他の実施形態に係る反射層を示す平面図である。本発明の他の実施形態に係る反射層に関する説明の中で、本発明の一実施形態に係る反射層に関する説明と重複する内容は、省略する。
【００８３】
図４を参照すると、本発明の他の実施形態に係る反射層２３０は、第１の方向Ｒ１に沿って延長された第１の反射部２３１、および第２の方向に沿って延長された第２の反射部２３２を含む。
【００８４】
反射層２３０は、画素電極１８０の全部または一部と重畳される開口領域２３５を有し、開口領域２３５に形成された少なくとも一つ以上の開口２３５ｈを有する。本発明の一実施形態に係る反射層２３０は、開口領域２３５と同じ面積を有する１つの開口２３５ｈを有する。
【００８５】
本発明の他の一実施形態に係る反射層２３０は、互いに異なる面積を有する開口領域２３５を含む少なくとも２以上の領域に区分できる。例えば、図４に示すように、反射層２３０は、中心領域である第１の領域Ａ１と、第１の領域Ａ１の周辺の第２の領域Ａ２を含むことができ、第１の領域Ａ１の開口領域２３５ａは、画素電極１８０の面積の約５０％以上ないし７０％以下の面積を有することができ、第２の領域Ａ２の開口領域２３５ｂは、画素電極１８０の面積の約７０％以上ないし１００％以下の面積を有することができる。
【００８６】
すなわち、反射層２３０の中心である第１の領域Ａ１は、表示装置の反射機能が主な領域であり、第２の領域Ａ２は、表示機能が主な領域である。
【００８７】
反射層２３０の第１の領域Ａ１、及び第２の領域Ａ２は、例示的なものに過ぎず、反射層２３０は、２以上の領域を含むことができ、使用目的に応じて様々な領域に区分できる。これに関連し、具体的な具現例は、後述する。
【００８８】
図５は、本発明の他の実施形態に係る表示装置を示す平面図であり、図６は、図５のＩＩ−ＩＩ’に沿って切断した断面図であり、図７は、本発明の他の実施形態に係る反射層を示した平面図である。本発明の他の実施形態に係る表示装置に関する説明の中で、本発明の一実施形態に係る表示装置の説明と重複する内容は、省略する。
【００８９】
図５ないし図７を参照すると、本発明の他の実施形態に係る表示装置は、下部パネル１００、下部パネル１００に対向して配置された上部パネル２００、および下部パネル１００と上部パネル２００との間に配置された液晶層３００を含む。
【００９０】
下部パネル１００は、赤色、緑色、青色画素部１０１ｒ、１０１ｇ、１０１ｂを含む複数の画素部１０１がマトリックス状に配列された下部基板１１０、下部基板１１０上に位置して薄膜トランジスタＱを含む膜構造物１２０、膜構造物１２０上に位置して赤色、緑色、青色のフィルタ１７０ｒ、１７０ｇ、１７０ｂを含む複数の色フィルタ１７０、複数の色フィルタ１７０上に配置された平坦化膜１７５は、平坦化膜１７５上に配置された画素電極１８０を含む。
【００９１】
上部パネル２００は、上部基板２１０、共通電極２２０、および反射層２３０を含む。
【００９２】
上部基板２１０は、透明なガラスやプラスチックなどからなる絶縁基板となりうる。共通電極２２０は、ＩＴＯ（Ｉｎｄｉｕｍ  Ｔｉｎ  Ｏｘｉｄｅ）またはＩＺＯ（Ｉｎｄｉｕｍ  Ｚｉｎｃ  Ｏｘｉｄｅ）などの透明導電体から成り得る。
【００９３】
上部基板２１０上に反射層２３０が配置される。反射層２３０は、第１の方向Ｒ１に沿って延長された第１の反射部２３１、および第２の方向に沿って延長された第２の反射部２３２を含む。
【００９４】
反射層２３０は、可視光領域の光を反射させることができる金属材質を含む。例えば、反射層２３０は、アルミニウム（Ａｌ）、銀（Ａｇ）、チタン（Ｔｉ）、およびクロム（Ｃｒ）からなる群から選択された少なくとも一つを含みうる。また、反射層２３０は、１０ｎｍ以上ないし３００ｎｍ以下の厚さｔを有することができる。
【００９５】
反射層２３０は、画素電極１８０の全部または一部と重畳される開口領域２３５を有し、開口領域２３５に形成された複数の開口２３５ｈを有する。
【００９６】
本発明の他の実施形態に係る反射層２３０は、開口領域２３５に第２の方向Ｒ２に沿って長く延長された複数の開口２３５ｈを有する。
【００９７】
開口２３５ｈは、５０ｎｍ以上ないし３００ｎｍ以下の幅ｗを有することができ、隣接する開口２３５ｈは１０ｎｍ以上ないし１００ｎｍ以下の間隔ｐを有することができる。
【００９８】
本発明の他の実施形態に係る反射層２３０は、開口領域２３５に一定の幅ｗと間隔ｐを有する複数の開口２３５ｈが形成されることにより、ワイヤーグリッドパターンが形成される。
【００９９】
ワイヤーグリッドパターンは、人間が認知する可視光線領域である赤色、緑色、および青色の波長の大きさよりも小さい線幅および間隔を有するストライプパターン（Ｓｔｒｉｐｅ  Ｐａｔｔｅｒｎ）である。バックライトユニットの光がワイヤーグリッドパターンに入射されると、ワイヤーグリッドパターンに平行な偏光（ｐｏｌａｒｉｚｅｄ  ｌｉｇｈｔ）は反射され、ワイヤーグリッドパターンに垂直な偏光は透過される。
【０１００】
したがって、本発明の他の実施形態に係る反射層２３０は、第２の方向Ｒ２に平行な偏光は反射させ、第２の方向Ｒ２に垂直な偏光は透過させる。
【０１０１】
本発明の他の実施形態に係る表示装置は、反射層２３０を用いてバックライトユニットの光を偏光させることによって別途の偏光板を省略することができ、表示装置の厚さを減らすことができ、製造コストを削減することができる。
【０１０２】
図８及び図９は、本発明の他の実施形態に係る反射層を示す平面図である。本発明の他の実施形態に係る表示装置に関する説明の中で、本発明の一実施形態に係る表示装置の説明と重複する内容は、省略する。
【０１０３】
本発明の他の実施形態に係る反射層２３０は、第１の方向Ｒ１に沿って延長された第１の反射部２３１、および第２の方向に沿って延長された第２の反射部２３２を含む。
【０１０４】
反射層２３０は、可視光領域の光を反射させることができる金属材質を含む。例えば、反射層２３０は、アルミニウム（Ａｌ）、銀（Ａｇ）、チタン（Ｔｉ）、およびクロム（Ｃｒ）からなる群から選択された少なくとも一つを含みうる。また、反射層２３０は、１０ｎｍ以上ないし３００ｎｍ以下の厚さｔを有することができる。
【０１０５】
反射層２３０は、画素電極１８０の全部または一部と重畳される開口領域２３５を有し、開口領域２３５に形成された複数の開口２３５ｈを有する。
【０１０６】
図８を参照すると、本発明の他の実施形態に係る反射層２３０は、開口領域２３５に第１の方向Ｒ１に沿って長く延長された複数の開口２３５ｈを有する。
【０１０７】
開口２３５ｈは５０ｎｍ以上ないし３００ｎｍ以下の幅ｗを有することができ、隣接する開口２３５ｈは、１０ｎｍ以上ないし１００ｎｍ以下の間隔ｐを有することができる。
【０１０８】
本発明の他の一実施形態に係る反射層２３０は、開口領域２３５に一定の幅ｗと間隔ｐを有する複数の開口２３５ｈが形成されることにより、ワイヤーグリッドパターンが形成される。
【０１０９】
図９を参照すると、本発明の他の一実施形態に係る反射層２３０は、開口領域２３５に第１の方向Ｒ１と所定の角度を持って長く延長された複数の開口２３５ｈを有する。開口２３５ｈは、第１の方向Ｒ１と３０度以上ないし６０度以下の角度を有することができ、好ましくは、４５度の角度を有することができる。
【０１１０】
開口２３５ｈは５０ｎｍ以上ないし３００ｎｍ以下の幅ｗを有することができ、隣接する開口２３５ｈは１０ｎｍ以上ないし１００ｎｍ以下の間隔ｐを有することができる。
【０１１１】
本発明の他の実施形態に係る反射層２３０は、開口領域２３５に一定の幅ｗと間隔ｐを有する複数の開口２３５ｈが形成されることにより、ワイヤーグリッドパターンが形成される。
【０１１２】
図１０ａは、本発明の一実施形態に係る表示装置を自動車のルームミラーに適用した活用例であり、図１０ｂ〜図１０ｄは、図１０ａの「ａ」、「ｂ」、「ｃ」の領域をそれぞれ拡大した部分拡大図である。
【０１１３】
図１０ａは、自動車のルームミラーの各領域に互いに異なる面積の開口領域を有する反射層が配置された具現例である。
【０１１４】
図１０ａないし図１０ｄを参照すると、本発明の一実施形態に係る自動車のルームミラー４００は、中心部４０１、および中心部の両側の側面部４０２、４０３を含みうる。このような領域区分は、例示的なもので多様に変形できることは言うまでもない。
【０１１５】
中心部４０１および側面部４０２、４０３に配置される反射層２３０は、一体型に形成されることができ、反射層２３０は、領域ごとに互いに異なる面積を有する開口領域２３５を有することができる。反射層２３０は、開口領域２３５と同じ面積を有する１つの開口２３５ｈを有する。
【０１１６】
例えば、ルームミラーの中心部４０１に配置される反射層２３０の開口領域２３５ａは、画素電極１８０の面積の約７０％以上ないし８０％以下の面積を有することができ、ルームミラーの側面部４０２、４０３に配置される反射層２３０の開口領域２３５ｂ、２３５ｃは、画素電極１８０の面積の約８０％以上ないし１００％以下の面積を有することができる。
【０１１７】
ルームミラーの中心部４０１は、表示装置の反射機能が主な領域としてメインミラー機能を提供することができ、これに加えて、表示機能として警告灯表示機能、ナビゲーション情報、またはその他の有用な情報が表示されるようにすることができる。例えば、他の有用な情報は、車両の走行情報、リアカメラ情報、車線認識（ｌａｎｅ  ｄｅｔｅｃｔｉｏｎ）情報などがある。
【０１１８】
ルームミラーの側面部４０２、４０３は、表示装置の表示機能が主な領域としてナビゲーション情報、ナイトビジョン、車両の走行情報、リアカメラ情報、車線認識（ｌａｎｅ  ｄｅｔｅｃｔｉｏｎ）情報などが表示されるようにすることができる。
【０１１９】
図１１ａは、本発明の一実施形態に係る表示装置を自動車のサイドミラーに適用した活用例であり、図１１ｂないし図１１ｄは、図１１ａの「ａ」、「ｂ」、「ｃ」の領域をそれぞれ拡大した部分拡大図である。
【０１２０】
図１１ａは、自動車のサイドミラーの各領域に互いに異なる面積の開口領域を有する反射層が配置された具現例である。
【０１２１】
図１１ａないし図１１ｄを参照すると、本発明の一実施形態に係る自動車のサイドミラー５００は、車体を中心に内側上部５０１、内側下部５０２、および外側部５０３を含みうる。このような領域区分は、例示的なもので多様に変形できることは言うまでもない。
【０１２２】
内側上部５０１、内側下部５０２、および外側部５０３に配置される反射層２３０は、一体型に形成されることができ、反射層２３０は、領域ごとに互いに異なる面積を有する開口領域２３５を有することができる。反射層２３０は、開口領域２３５と同じ面積を有する１つの開口２３５ｈを有する。
【０１２３】
例えば、内側上部５０１に配置される反射層２３０の開口領域２３５ａは、画素電極１８０の面積の約５０％以上ないし７０％未満の面積を有することができ、内側下部５０２に配置される反射層２３０の開口領域２３５ｂは、画素電極１８０の面積の約７０％以上ないし８０％未満の面積を有することができ、外側部５０３に配置される反射層２３０の開口領域２３５ｃは、画素電極１８０の面積の約７０％以上ないし８０％未満の面積を有することができる。
【０１２４】
内側上部５０１は、表示装置の反射機能が主な領域としてメインミラー機能を提供することができ、これに加えて、表示機能として警告灯表示機能を提供することができる。
【０１２５】
内側下部５０２は、表示装置の表示機能が主な領域として駐車線情報、およびその他の有用な情報が表示されるようにすることができる。例えば、他の有用な情報は、車両の走行情報、リアカメラ情報、車線認識（ｌａｎｅ  ｄｅｔｅｃｔｉｏｎ）情報などがある。
【０１２６】
外側部５０３は、表示装置の表示機能が主な領域としてナビゲーション情報、ナイトビジョン、車両の走行情報、リアカメラ情報、車線認識（ｌａｎｅ  ｄｅｔｅｃｔｉｏｎ）情報などが表示されるようにすることができる。
【０１２７】
以上、添付の図面を参照して、本発明の一実施形態を説明したが、本発明が属する技術分野で通常の知識を有する者は、本発明のその技術的思想や本質的な特徴を変更せずに、他の具体的な形で実施されることができることを理解できるだろう。したがって、前述した一実施形態は、すべての面で例示的なものであり、限定的ではないものと理解しなければならない。
【符号の説明】
【０１２８】
１００    下部パネル
２００    上部パネル
２３０    反射層
２３５    開口領域
２３５ｈ  開口
３００    液晶層
【図１】
0006788989.tif 000002
【図２】
0006788989.tif 000003
【図３】
0006788989.tif 000004
【図４】
0006788989.tif 000005
【図５】
0006788989.tif 000006
【図６】
0006788989.tif 000007
【図７】
0006788989.tif 000008
【図８】
0006788989.tif 000009
【図９】
0006788989.tif 000010
【図１０ａ】
0006788989.tif 000011
【図１０ｂ】
0006788989.tif 000012
【図１０ｃ】
0006788989.tif 000013
【図１０ｄ】
0006788989.tif 000014
【図１１ａ】
0006788989.tif 000015
【図１１ｂ】
0006788989.tif 000016
【図１１ｃ】
0006788989.tif 000017
【図１１ｄ】
0006788989.tif 000018